(57)【要約】【課題】ロングスライド式のスライド構造体の移動時にワイヤハーネスの垂れ下がりや曲がり等を防止してスムーズで確実なスライド操作を行わせる。【解決手段】ワイヤハーネス３を略Ｕ字状に折り返して収容するケース２と、ワイヤハーネスの移動端側を保持してケースにスライド自在に係合したスライダ６と、ワイヤハーネスの折り返し部３ｂの内面に回動自在に係合したプーリ４と、プーリをワイヤハーネスの折り返し方向とは反対の方向に付勢する圧縮コイルばね７とを備えるロングスライド用給電装置１を採用する。プーリ４を支持ブロック２７に回動自在に連結し、支持ブロックをケース２にスライド自在に係合させ、圧縮コイルばね７を支持ブロックに弾接させた。支持棒３６を圧縮コイルばね７の一方に挿入し、一対のガイド壁３７の間に圧縮コイルばねの他方を収容し、圧縮コイルばねの最圧縮時に支持棒をガイド壁間に進入させた。【選択図】図１
2006050841.tif 000002
【特許請求の範囲】
【請求項１】
ワイヤハーネスを略Ｕ字状に折り返して収容するケースと、該ワイヤハーネスの移動端側を保持して該ケースにスライド自在に係合したスライダと、該ワイヤハーネスの折り返し部の内面に回動自在に係合したプーリと、該プーリを該ワイヤハーネスの折り返し方向とは反対の方向に付勢する圧縮コイルばねとを備えることを特徴とするロングスライド用給電装置。
【請求項２】
前記プーリが支持ブロックに回動自在に連結され、該支持ブロックが前記ケースにスライド自在に係合し、前記圧縮コイルばねが該支持ブロックに弾接したことを特徴とする請求項１記載のロングスライド用給電装置。
【請求項３】
前記支持ブロックに突設された支持棒が前記圧縮コイルばねの一方に挿入され、前記ケースに設けられた一対のガイド壁の間に該圧縮コイルばねの他方が収容され、該圧縮コイルばねの最圧縮時に該支持棒が該一対のガイド壁の間に進入することを特徴とする請求項２記載のロングスライド用給電装置。
【請求項４】
前記プーリに対向して円弧状のガイド板が設けられ、該プーリと該ガイド板との間に前記ワイヤハーネスの折り返し部が位置したことを特徴とする請求項１〜３の何れかに記載のロングスライド用給電装置。
【請求項５】
前記ケースが幅狭部と幅広部とで構成され、前記プーリや前記圧縮コイルばねが該幅広部内に位置し、該圧縮コイルばねの最圧縮時に前記ワイヤハーネスの移動端側の部分が該幅狭部内に位置することを特徴とする請求項１〜４の何れかに記載のロングスライド用給電装置。
【発明の詳細な説明】
【技術分野】
【０００１】
本発明は、自動車のスライドドアやスライドシート等のロングスライド式のスライド構造体に対応して、ケース内に略Ｕ字状に折り返して配索した長いワイヤハーネスの曲がり等を確実に防止するロングスライド用給電装置に関するものである。
【背景技術】
【０００２】
図４は従来の給電装置の一形態を示すものである（特許文献１参照）。
【０００３】
この給電装置６１は自動車のスライドドアに搭載されるものであり、フラットワイヤハーネス６２を略Ｕ字状に屈曲させて収容する長尺のケース６３と、フラットワイヤハーネス６２の外面に設けられた可撓性の補強板６４と、フラットワイヤハーネス６２の移動端側に設けられたスライダ６５と、スライダ６５を摺動自在に係合させるレール部６６とを備えている。
【０００４】
補強板６４は薄い鋼材で形成され、ケース６３の磁化された壁部６７に吸着してフラットワイヤハーネス６２の垂れ下がりを防止する。フラットワイヤハーネス６２の移動端はスライダ６５において車両ボディ側に続くワイヤハーネス６８にコネクタ接続され、固定端はスライドドア側のワイヤハーネス６９に接続されている。
【０００５】
スライドドアの開閉に伴ってスライダ６５がレール部６６を進退し、フラットワイヤハーネス６２は略Ｕ字状に屈曲したままスライダ６５と一体に進退して、スライドドアの開閉ストロークを吸収する。これにより、車両ボディ側からスライドドアの各補機に電源や電気信号が常時供給される。
【特許文献１】特開平１１−３４２８０７号公報（図２）
【発明の開示】
【発明が解決しようとする課題】
【０００６】
しかしながら、上記従来の給電装置６１にあっては、ワイヤハーネスとしてフラットワイヤハーネス６２を使用しているために、回路数や供給電流に制限があり、また、補強板６４に鋼材を使用し、ケース６３の壁部６７を磁化させて補強板６４を磁着させるといった複雑な構造によってコスト高になるという問題があった。
【０００７】
そこで、フラットワイヤハーネス６２ではなく通常の断面円形や長円形のワイヤハーネスを用いてその剛性によってワイヤハーネスの垂れ下がりを防止する給電装置（図示せず）が提案された。
【０００８】
しかしながら、この給電装置にあっては、スライドストロークが短い場合はよいが、図５〜図７に示す自動車のロングスライドドアやロングスライドシートに適用する給電装置７１のように長いケース７４を有し、スライダ７３のスライドストロークが長い場合においては、スライドドアやスライドシートといったスライド構造体の移動に伴って、図６の如くワイヤハーネス７２が移動途中で垂れ下がったり曲がったりして、それ以上スライダ７３をスライドさせようとしても図７の如くワイヤハーネス７２が幾重にも折れ曲がって、それ以上のスライド操作を行うことができなくなってしまうという懸念があった。
【０００９】
本発明は、上記した点に鑑み、ロングスライドドアやロングスライドシート等のスライド構造体の移動時にワイヤハーネスの垂れ下がりや曲がり等を起こすことがなく、スムーズで確実なスライド操作を可能とするロングスライド用給電装置を提供することを目的とする。
【課題を解決するための手段】
【００１０】
上記目的を達成するために、本発明の請求項１に係るロングスライド用給電装置は、ワイヤハーネスを略Ｕ字状に折り返して収容するケースと、該ワイヤハーネスの移動端側を保持して該ケースにスライド自在に係合したスライダと、該ワイヤハーネスの折り返し部の内面に回動自在に係合したプーリと、該プーリを該ワイヤハーネスの折り返し方向とは反対の方向に付勢する圧縮コイルばねとを備えることを特徴とする。
【００１１】
上記構成により、スライダの例えば前進端位置で圧縮コイルばねが最圧縮されつつ、圧縮コイルばねの付勢力でプーリが後方に押圧され、ワイヤハーネスがプーリを介して後方に押圧されてワイヤハーネスの往部と復部が弛みなくピンと張った状態に維持される。スライド構造体のスライド操作でスライダが後方に移動するに伴って、ワイヤハーネスの往部が短縮されつつ復部が伸長され、その間においても圧縮コイルばねがプーリを後方に弾性的に付勢してワイヤハーネスの往部（移動側の部分）をスライダとプーリとの間で、ワイヤハーネスの復部（固定側の部分）をケースとプーリとの間で垂れ下がりや曲がり等なく真直に張った状態に維持する。プーリはスライダの移動によるワイヤハーネスの伸縮（信頼）に伴ってワイヤハーネスと一体的に低抵抗で回動する。このようにしてスライダの移動過程で圧縮コイルばねが常にプーリを介してワイヤハーネスを後方に付勢してワイヤハーネスの垂れ下がりや曲がりを防止し、スライダが引っ掛かり等なくスムーズに進退自在となる。
【００１２】
請求項２に係るロングスライド用給電装置は、請求項１記載のロングスライド用給電装置において、前記プーリが支持ブロックに回動自在に連結され、該支持ブロックが前記ケースにスライド自在に係合し、前記圧縮コイルばねが該支持ブロックに弾接したことを特徴とする。
【００１３】
上記構成により、支持ブロックがケースに沿って位置決めされつつスライドし、支持ブロックに圧縮コイルばねの一端が常に位置ずれなく安定して弾接され、プーリが支持ブロックと一体に位置決めされつつケース内を進退する。
【００１４】
請求項３に係るロングスライド用給電装置は、請求項２記載のロングスライド用給電装置において、前記支持ブロックに突設された支持棒が前記圧縮コイルばねの一方に挿入され、前記ケースに設けられた一対のガイド壁の間に該圧縮コイルばねの他方が収容され、該圧縮コイルばねの最圧縮時に該支持棒が該一対のガイド壁の間に進入することを特徴とする。
【００１５】
上記構成により、圧縮コイルばねの一方が支持ブロックの支持棒で安定に支持され、圧縮コイルばねの他方が一対のガイド壁の内側で安定に支持される。一対のガイド壁はケースのベース壁とカバーとで両側を囲まれて矩形筒状の収容空間を構成する。例えばスライダの前進端位置で圧縮コイルばねが最圧縮されつつ一対のガイド壁の間に収容され、支持棒は最圧縮状態の圧縮コイルばね内で一対のガイド壁の間に位置する。スライダの後退過程で圧縮コイルばねが伸長し、後退端位置で最伸長し、これらの過程で支持棒が圧縮コイルばねの一端側を安定に位置決め支持し、一対のガイド壁が圧縮コイルばねの他端側を安定に位置決め支持する。
【００１６】
請求項４に係るロングスライド用給電装置は、請求項１〜３の何れかに記載のロングスライド用給電装置において、前記プーリに対向して円弧状のガイド板が設けられ、該プーリと該ガイド板との間に前記ワイヤハーネスの折り返し部が位置したことを特徴とする。
【００１７】
上記構成により、ワイヤハーネスの折り返し部（屈曲部）がプーリとガイド板との間に挟まれるように摺接自在に係合し、ガイド板によってワイヤハーネスの屈曲部とプーリとの離間が防止され、屈曲部とプーリとが常に接触した状態に維持される。
【００１８】
請求項５に係るロングスライド用給電装置は、請求項１〜４の何れかに記載のロングスライド用給電装置において、前記ケースが幅狭部と幅広部とで構成され、前記プーリや前記圧縮コイルばねが該幅広部内に位置し、該圧縮コイルばねの最圧縮時に前記ワイヤハーネスの移動端側の部分が該幅狭部内に位置することを特徴とする。
【００１９】
上記構成により、ケースの幅狭部の内壁面がワイヤハーネスの移動端側の部分を支持する壁部として作用し、たとえワイヤハーネスの移動端側の部分が垂れ下がりや曲がりを生じそうになった場合でも、圧縮コイルばねと幅狭部の内壁面との相乗作用でワイヤハーネスの有害な垂れ下がりや曲がりが防止される。幅狭部と幅広部とでケースの全長が拡大され、ロングスライドに容易に対応可能となる。
【発明の効果】
【００２０】
請求項１記載の発明によれば、スライダの移動過程で圧縮コイルばねが常にプーリを介してワイヤハーネスを折り返し方向とは反対の方向に押圧するから、スライダのロングスライドに伴ってケース内でワイヤハーネスが座屈することがなく、スムーズなロングスライド操作が可能となり、ロングスライド式のスライド構造体への常時給電の信頼性が向上する。
【００２１】
請求項２記載の発明によれば、支持ブロックでケース内のプーリや圧縮コイルばねの位置が正確に規定されるから、ワイヤハーネスの弾性付勢が常に正確に行われて請求項１記載の発明の効果が促進される。
【００２２】
請求項３記載の発明によれば、ロングスライドに対応した長い圧縮コイルばねの両端部が伸長時や圧縮時に支持棒とガイド壁とによって安定に支持されるから、圧縮コイルばねによるプーリの押圧が確実に行われ、請求項１記載の発明の効果が促進される。
【００２３】
請求項４記載の発明によれば、急激なスライド操作等においても圧縮コイルばねの付勢力とガイド板とによってプーリとワイヤハーネスとが常時接触し、ワイヤハーネスが弛みなく弾性付勢されることで、請求項１記載の発明の効果が促進される。
【００２４】
請求項５記載の発明によれば、ケースの幅狭部の内壁面でワイヤハーネスを支持可能としたことで、ケースの全長が拡大され、ロングスライド化に容易に対応可能となる。
【発明を実施するための最良の形態】
【００２５】
図１〜図３は、本発明に係るロングスライド用給電装置の一実施形態を示すものである。
【００２６】
このロングスライド用給電装置１は、長手方向に幅狭部２ａと幅広部２ｂとを有する長尺のケース２と、ケース内に略Ｕ字ないしＪ字状に屈曲して配索される断面円形又は長円形のワイヤハーネス３と、ワイヤハーネス３の一端側（移動端）を保持してケース２に沿って長手方向にスライド自在に設けられたスライダ６と、ワイヤハーネス３の屈曲部（折り返し部）３ｂの内面に摺接自在に係合してワイヤハーネス３を支持するプーリ４と、プーリ４をワイヤハーネス３の折り返し方向とは反対の方向すなわちワイヤハーネス伸長方向に弾性付勢してケース内でワイヤハーネス３を垂れ下がりや曲がりなくピンと張った状態に押圧する圧縮コイルばね７とを備えたものである。
【００２７】
ケース２は合成樹脂製又は金属製のケース本体（符号２で代用）と板状のカバー（図示せず）とで構成され、これらは前半側の幅狭部２ａと、中間の段差部８を介して続く後半側の幅広部２ｂとを備えている。幅狭部２ａは幅広部２ｂよりも短く形成されている。カバー（図示せず）はケース本体２の正面側の開口を覆う板状のものであり、ケース本体２とカバーとは係止突起と係合凹部等の係止手段やボルトとナット等の締付手段等で相互に固定される。
【００２８】
ケース本体２はベース壁９と、ベース壁９の周囲に立ち上げられた周壁としての各壁部１０〜１４とで構成され、ベース壁９は前半の幅狭部と後半の幅広部を有し、ベース壁９とカバー（図示せず）との幅広部の幅方向中央に、プーリ４を支持する支持ブロック２７に対するスライド用のガイド部１７としての長溝又は長孔が真直に設けられている。
【００２９】
図１でケース本体２の上側の壁部１０に、スライダ６をスライド自在に案内するガイド部１８としてのスリット状の長孔が設けられ、ガイド部１８にスライダ６の高さ方向中間の溝部１９がスライド自在に係合し、スライダ６の上半部はケース本体２の外部に露出し、下半部はケース本体２の幅狭部２ａ内に位置している。スライダ６に下半部からワイヤハーネス３の移動端側のハーネス部分２０が略Ｌ字状に屈曲して貫通され、ハーネス部分２０の先端に接続用のコネクタ２１が設けられている。なお、本明細書における上下前後等の方向は説明の便宜上のものであり、必ずしも給電装置１の実使用方向と一致するものではない。
【００３０】
ケース本体２の幅狭部２ａは段差部８に続く下側の壁部１１と前端壁１３とベース壁と上側の壁部１０を有し、ケース本体２の幅広部２ｂは下側の壁部１２と段差側の前端壁（符号８で代用）と後端壁１４（図２）とベース壁９と上側の壁部１０とを有し、ベース壁９と上側の壁部１０は共に幅狭部２ａと幅広部２ｂとにおいて同一平面で延長されている。
【００３１】
図１のスライダ６の前進端位置でワイヤハーネス３はスライダ６からケース本体２の幅狭部２ａの前端側から幅広部２ｂの段差部寄りの中間部にかけて上側の壁部１０の内面に沿って配索され、プーリ４の外周面に沿って略Ｕ字状に折り返されて下側の壁部１２に沿って配索されつつ段差側の壁部８の開口２２から外部に導出されている。
【００３２】
ワイヤハーネス３は外周に保護チューブとしての合成樹脂製の既存のコルゲートチューブ２６を有し、コルゲートチューブ２６は凹溝と凸条とを交互に有して良好な屈曲性を発揮する。コルゲートチューブ２６はスライダ６からケース本体２の開口２２までの範囲で設けられている。コルゲートチューブ２６の内側に複数本の絶縁被覆電線が収容されてワイヤハーネス３が構成されている。コルゲートチューブ２６に代えて網状チューブ等の保護チューブを用いることも可能である。保護チューブ２６を用いずに複数本の電線をテープ巻きで束ねてワイヤハーネスを構成することも可能である。
【００３３】
プーリ４は好ましくは合成樹脂で形成され、左右両側の平坦な円形の側面と、環状の外周面３ａとを有し、プーリ外径はケース本体２の幅広部２ｂの上下の内幅からワイヤハーネス３の外径の二倍の寸法を引いた値よりもやや小さく設定され、外周面３ａの幅（板厚）はワイヤハーネス３の外径とほぼ同程度に設定されている。環状の外周面３ａとして断面円弧状の溝面を形成し、溝面にワイヤハーネス３の屈曲部３ｂを径方向の位置ずれなく係合支持させることも可能である。
【００３４】
プーリ４は中心軸２８を支持ブロック２７の左右一組の連結板２９，３０で回動自在に支持され、ブロック本体（符号２７で代用）の両側の外面から左右の連結板２９，３０の外面にかけてリブ（突条）３１が設けられ、リブ３１がケース２のガイド部１７にスライド自在に係合し、それによって支持ブロック２７とプーリ４がケース本体２の幅方向中央に位置決めされている。
【００３５】
ベース壁９に沿う一方の連結板２９はカバーに沿う他方の連結板３０よりも長く幅広に形成され、一方の連結板２９の後端側に直交して円弧状のガイド板３４が設けられ、ガイド板３４はプーリ４の外周面３ａに対向し、ガイド板３４とプーリ４との間にワイヤハーネス３の屈曲部３ｂが挟まれるように摺接自在に位置している。ガイド板３４はプーリ４から後方にワイヤハーネス３の屈曲部３ｂが位置ずれするのを防止し、屈曲部３ｂを常にプーリ４の外周面４ａに接触させている。プーリ４と支持ブロック２７と連結板２９，３０とガイド板３４とでハーネス支持部材３５が構成されている。
【００３６】
支持ブロック２７の前端には圧縮コイルばね７に対する支持棒３６（図２）が突設され、支持棒３６が圧縮コイルばね７の後端から内側に挿入され、圧縮コイルばね７の前端７ａは段差状の壁部８に弾接し、後端７ｂは支持ブロック２７に弾接している。
【００３７】
段差状の壁部８からベース壁９に沿って上下一対の水平なガイド壁３７が近接して設けられ、一対のガイド壁３７の内幅は圧縮コイルばね７の外径よりもやや大きく設定され、圧縮コイルばね７の内径よりも支持棒３６の外径がやや小さく設定され、図１の圧縮コイルばね７の最圧縮状態で一対のガイド壁３７の間に支持棒３６が進入可能となっている。支持棒３６の長さは図１の圧縮コイルばね７の最圧縮長さと同程度ないしやや短く設定され、一対のガイド壁３７の長さは支持棒７の長さにほぼ等しい。
【００３８】
図１のスライダ６の前進端位置において、圧縮コイルばね７は一対のガイド壁３７内でほぼ最圧縮されて、一対のガイド壁３７とベース壁９とカバー（図示せず）とで囲まれた矩形筒状の収容空間内に位置し、支持ブロック２７はガイド壁３７の後端に近接し、プーリ４はケース本体２の幅広部２ｂの段差部８寄りの中間部に位置し、圧縮コイルばね７がプーリ４を介してワイヤハーネス３を後方に付勢し、ワイヤハーネス３の上側部分（往部）３ａと下側部分（復部）３ｃとがケース本体２の上下の壁部１０，１２に沿って弛みなくピンと張った状態に位置している。
【００３９】
ワイヤハーネス３の上側部分３ａの前半側の部分はケース本体２の幅狭部２ａの下側の壁部１１に近接しているので、たとえ垂れ下がりや曲がりを生じても下側の壁部１１で支持されて、それ以上の垂れ下がりや曲がりが阻止される。従ってケース本体２の幅狭部２ａの長さを所望の長さに延長することで、どのような長さのスライド量にも対応することができる。
【００４０】
図１の状態からスライドドアやスライドシートといったスライド構造体（図示せず）をスライドさせるに伴って、図２の如く、スライダ６が後方に移動しつつ、スライダ６と一体にワイヤハーネス３の上側部分３ａが後方に移動し、それと同時に圧縮コイルばね７がプーリ４をスライダ６の移動方向に付勢しつつ除々に伸長し、圧縮コイルばね７の付勢力（突っ張り力）でワイヤハーネス３の上側部分３ａが垂れ下がりや曲がりなくピンと張った状態に維持され、スライダ６が引っ掛かり等なくスムーズに移動する。圧縮コイルばね７の伸長に伴って支持棒３６はガイド壁３７から離間してプーリ４と一体に移動する。
【００４１】
ワイヤハーネス３の上側部分３ａが後方に移動するに伴ってワイヤハーネス３の下側部分３ｃが除々に延長されてケース本体２の下側の壁部１２に沿って圧縮コイルばね７の付勢力（突っ張り力）でプーリ４を介して後方に押圧されて弛みなくピンと張った状態に維持される。スライダ６がケース本体２の段差部８に位置した状態でワイヤハーネス３の上側部分３ａと下側部分３ｃとの長さはほぼ同一となる。
【００４２】
例えば図２を上下反転させた状態すなわちスライダ６が下側に位置した状態で給電装置１が使用された場合でも、圧縮コイルばね７がプーリ４を後方に押圧し、プーリ４がワイヤハーネス３を後方に押圧するから、ワイヤハーネス３の下側部分３ｃ（反転させた状態で上側部分）の垂れ下がりや曲がりが確実に防止される。これは図３においても同様である。
【００４３】
スライダ６が図２の状態から図３の如く後退端位置まで移動することで、ワイヤハーネス３の上側部分３ａは最も短縮され、ワイヤハーネス３の下側部分３ｃがケース本体２の下側の壁部１２に沿って長く延長される。プーリ４に隣接するガイド板３４がワイヤハーネス３の屈曲部３ｂと共にケース本体２の後端壁１４に近接して位置する。スライダ６の後退端位置においても圧縮コイルばね７は最伸長されつつプーリ４を後方に付勢し、ワイヤハーネス３の下側部分３ｃの曲がりや弛みを防止している。
【００４４】
図３の状態からスライダ６を逆向きに（前方に）移動させることで、ワイヤハーネス３の上側部分３ａの長さが増しつつ、圧縮コイルばね７の付勢力でプーリ４を介してワイヤハーネス３がスライダ６の移動方向とは反対の方向に突っ張られ、図２のスライダ中間位置でワイヤハーネス３の上側部分３ａと下側部分３ｃの垂れ下がりや曲がり等が防止され、スライダ６が引っ掛かり等なくスムーズに前進する。
【００４５】
スライダ６の移動距離に対してワイヤハーネス３の屈曲部３ｂの移動距離すなわちプーリ４の移動距離はその半分であり、スライダ６やワイヤハーネス３の屈曲部３ｂやプーリ４の位置は一次関数的（正比例で）に変化する。これに対し、ケース本体２の幅広部２ｂ内でのワイヤハーネス３の上側部分３ａの中央位置すなわち最も垂れ下がりや曲がりを起こしやすい部分の位置は二次関数的に変化する。ケース内でプーリ４を介して圧縮コイルばね７がワイヤハーネス３の屈曲部３ｂを常に突っ張り方向に付勢することで、ワイヤハーネス３の垂れ下がりや曲がりが確実に防止される。
【００４６】
なお、ワイヤハーネス３の上側部分３ａの垂れ下がりは図１〜図３の如く給電装置１を縦置きに使用した場合に生じ、ワイヤハーネス３の上側部分（往部）３ａの曲がりは給電装置１を横置きにした場合に生じるものであり、曲がりは広い意味で垂れ下がりをも含む概念である。
【００４７】
図１，図３の状態はスライドドアやスライドシート等のスライド構造体（図示せず）を前進端又は後退端までスライドさせた状態である。給電装置１を例えばスライドドアに縦置きに搭載した場合、スライダ６から導出された可動側のハーネス部分２０が渡り空間を経て車両ボディ側に配索され、ケース本体２から導出された固定側のハーネス部分２３はコネクタ２４でスライドドアのワイヤハーネスや補機に接続される。図１は車両左側のスライドドアの全閉状態となり、図２はスライド途中の状態、図３はスライドドアの全開状態となる。
【００４８】
また、給電装置１をスライドシートに適用した場合、例えば給電装置１を縦置きに車両ボディのフロアパネルに搭載し、スライダ６から導出された可動側のハーネス部分２０がスライドシート側のワイヤハーネスや補機に接続され、ケース本体２から導出された固定側のハーネス部分２３が車両ボディの電源側等のワイヤハーネスに接続される。図１の状態はスライドシートの前端（又は後端）位置におけるものであり、図２はスライドシートのスライド途中、図３はスライドシートの後端（又は前端）位置におけるものである。給電装置１を車両ボディに横置きに搭載する場合、スライダ６から導出されたハーネス部分２０はケース２の厚さ方向（上向き）に屈曲してスライドシートに配線される。
【００４９】
なお、上記実施形態において、スライダ６に対するガイド部１８としての長孔や長溝をケース本体２の上側の壁部１０ではなくベース壁９とカバーとに設け、スライダ６にガイド部に係合する突起やリブ等を設け、カバー側又はベース壁９に設けた長形の開口又はケース本体の上側の壁部１０に設けた長形の開口（長孔）からハーネス部分２０を外部に導出させることも可能である。また、プーリ４に対向するガイド板３４に代えて、複数の小ローラ（図示せず）を円弧状に配設することも可能である。
【００５０】
また、上記実施形態において、ケース２の前半の幅狭部２ａを幅広部として後半の幅広部２ｂと同一面で連続させることも可能である。この場合、ハーネス導出開口２２はケースの下壁の途中や前端壁に設けられる。また、ストローク量を少し短くしてもよい場合は、ケース２の幅狭部２ａを削除し、幅広部２ｂのみで構成させることも可能である。この場合もロングスライド用として適用可能である。
【図面の簡単な説明】
【００５１】
【図１】本発明に係るロングスライド用給電装置の一実施形態を示すスライダ前進端位置の斜視図である。
【図２】同じくロングスライド用給電装置を示すスライダ中間位置の斜視図である。
【図３】同じくロングスライド用給電装置を示すスライダ後退端位置の斜視図である。
【図４】従来の給電装置の一形態を示す断面図である。
【図５】従来のロングスライド用給電装置を示す斜視図である。
【図６】従来のロングスライド用給電装置の問題点の一過程を示す斜視図である。
【図７】従来のロングスライド用給電装置の問題点を示す斜視図である。
【符号の説明】
【００５２】
１    ロングスライド用給電装置
２    ケース
２ａ  幅狭部
２ｂ  幅広部
３    ワイヤハーネス
３ｂ  屈曲部（折り返し部）
４    プーリ
６    スライダ
７    圧縮コイルばね
２７  支持ブロック
３４  ガイド板
３６  支持棒
３７  ガイド壁
【図１】
2006050841.tif 000003
【図２】
2006050841.tif 000004
【図３】
2006050841.tif 000005
【図４】
2006050841.tif 000006
【図５】
2006050841.tif 000007
【図６】
2006050841.tif 000008
【図７】
2006050841.tif 000009